【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  コンピュータを利用して、品質機能展開表に要求品質を入力し、前記要求品質に関係付ける品質特性を入力し、前記要求品質と前記品質特性との対応関係とその関係付けの度合いを入力し、品質特性毎の設計品質値を入力する一連の作業からなる品質機能展開を支援する方法において、
過去の品質機能展開作業により得られた既存の品質機能展開表を読込み、読込んだ品質機能展開表の要求品質と品質特性の対応関係に基づき、関係付けられている品質特性と要求品質との組み合わせを抽出して品質特性データを作成し、データベースに登録する登録ステップと、
ユーザの編集指示に応じて、前記データベース中のデータを編集する編集ステップと、
品質機能展開作業時に、ユーザの検索指示に応じて、少なくとも前記要求品質の一覧、キーワード、を含む複数種類の文字列の中から選択された文字列を検索キーとして用いて前記データベースに登録されている品質特性データ中の品質特性を検索する検索ステップと、
前記検索の結果として得られた品質特性一覧を検索結果データとして出力する出力ステップ、
を含むことを特徴とする品質機能展開支援方法。
【請求項２】  前記登録ステップは、
前記品質機能展開表の要求品質と品質特性の対応関係に基づき、関係付けられている品質特性と要求品質の組み合わせを抽出し、抽出された各組み合わせに対して、品質特性の改善方向、関係付けの度合い、を入力して品質特性データを作成する品質特性データ作成ステップを含む、
ことを特徴とする請求項１に記載の品質機能展開支援方法。
【請求項３】  前記品質特性データ作成ステップは、
指定された数値をしきい値として、関係付けの度合いがそのしきい値以上である組み合わせのみの品質特性データを作成するステップを含む、
ことを特徴とする請求項２に記載の品質機能展開支援方法。
【請求項４】  前記品質特性データ作成ステップは、
前記抽出された組み合わせのうち、ユーザにより指定された組み合わせのみの品質特性データを作成するステップを含む、
ことを特徴とする請求項２または請求項３に記載の品質機能展開支援方法。
【請求項５】  前記編集ステップは、ユーザの入力指示に応じて、前記データベース中の各品質特性データに対して品質特性を評価する尺度となる品質要素を入力する品質要素入力ステップを含み、
前記検索ステップは、ユーザの検索指示に応じて、前記品質要素の一覧、前記要求品質の一覧、キーワード、を含む複数種類の文字列の中から選択された文字列を検索キーとして用いて前記データベースに登録されている品質特性データ中の品質特性を検索する、
ことを特徴とする請求項１乃至請求項４のいずれかに記載の品質機能展開支援方法。
【請求項６】  前記データベースは、前記品質特性データを登録する品質特性データベースと、前記品質要素の階層構成を含む品質要素データを登録する品質要素データベースを含む、
ことを特徴とする請求項５に記載の品質機能展開支援方法。
【請求項７】  前記編集ステップは、前記品質特性データベースと前記品質要素データベースの両方に対してデータ編集を行う、
ことを特徴とする請求項６に記載の品質機能展開支援方法。
【請求項８】  前記データベース中に、前記品質要素の情報が予め用意され、
前記検索ステップは、
前記品質要素の一覧、前記要求品質の一覧、キーワード、の中から選択された検索キーを用いて前記データベースに登録されている品質特性データ中の品質特性を検索するキー検索ステップと、
前記キー検索ステップの前に、前記データベース中に予め用意された品質要素の情報に基づき、品質要素の検索項目を作成してその一覧を品質要素の一覧としてユーザに提示する検索項目作成ステップを含む、
ことを特徴とする請求項５乃至請求項７のいずれかに記載の品質機能展開支援方法。
【請求項９】  前記出力ステップは、
前記検索結果データとして得られた品質特性一覧をユーザに提示するステップと、
前記品質特性一覧の中からユーザにより指定された品質特性の品質特性データを前記品質機能展開表に入力するステップを含み、
前記品質特性データは、品質特性とそれに関係付けられた要求品質、品質特性の改善方向、関係付けの度合い、を含む、
ことを特徴とする請求項１乃至請求項８のいずれかに記載の品質機能展開支援方法。
【請求項１０】  前記データベースに登録された前記品質特性の各々について、当該品質特性が、品質機能展開作業時に前記品質機能展開表に入力された入力回数、および前記検索の結果として得られた検索回数のいずれか一方または両方をカウントして、当該品質特性の使用頻度として記憶する使用頻度記憶ステップ、
を含むことを特徴とする請求項１乃至請求項９のいずれかに記載の品質機能展開支援方法。
【請求項１１】  前記データベースは、前記使用頻度の条件を有する頻度条件付きデータベースを含み、
前記使用頻度に基づいて前記品質特性データを前記頻度条件付きデータベースに登録する品質特性データ更新ステップ、
を含むことを特徴とする請求項１０に記載の品質機能展開支援方法。
【請求項１２】  前記検索ステップは、指定されたレベルの前記使用頻度を検索手段として前記データベースに登録されている品質特性データ中の品質特性を検索する使用頻度検索ステップを含む、
ことを特徴とする請求項１０または請求項１１に記載の品質機能展開支援方法。
【請求項１３】  前記出力ステップは、
前記検索結果データとして得られた品質特性一覧をユーザに提示するステップと、
前記品質特性一覧を表示する順序をユーザにより指定された順序に変更するステップとを含み、
前記順序は、前記要求品質との関係付けの度合いに基づく順序、前記使用頻度に基づく順序、抽象度に基づく順序、を含む、
ことを特徴とする請求項１０乃至請求項１２のいずれかに記載の品質機能展開支援方法。
【請求項１４】  品質機能展開作業時に、ユーザから与えられた品質特性を入力した場合に、その品質特性が前記データベースに既に登録されているか否かをチェックして、登録されていない場合には、ユーザに対してその品質特性の当該データベースへの登録を促すかまたはその品質特性を当該データベースにそのまま登録する新規データ登録支援ステップ、
を含むことを特徴とする請求項１乃至請求項１３のいずれかに記載の品質機能展開支援方法。
【請求項１５】  コンピュータを利用して、品質機能展開表に要求品質を入力し、前記要求品質に関係付ける品質特性を入力し、前記要求品質と前記品質特性との対応関係とその関係付けの度合いを入力し、品質特性毎の設計品質値を入力する一連の作業からなる品質機能展開を支援するためのプログラムにおいて、
過去の品質機能展開作業により得られた既存の品質機能展開表を読込み、読込んだ品質機能展開表の要求品質と品質特性の対応関係に基づき、関係付けられている品質特性と要求品質との組み合わせを抽出して品質特性データを作成し、データベースに登録する登録機能と、
ユーザの編集指示に応じて、前記データベース中のデータを編集する編集機能と、
品質機能展開作業時に、ユーザの検索指示に応じて、少なくとも前記要求品質の一覧、キーワード、を含む複数種類の文字列の中から選択された文字列を検索キーとして用いて前記データベースに登録されている品質特性データ中の品質特性を検索する検索機能と、
前記検索の結果として得られた品質特性一覧を検索結果データとして出力する出力機能、
をコンピュータに実現させることを特徴とするプログラム。
【手続補正２】
【補正対象書類名】明細書
【補正対象項目名】００１２
【補正方法】変更
【補正の内容】
【００１２】
「品質機能展開表（ＱＦＤ表）」は、品質機能展開の過程において作成される各種の二元表を含む広い概念である。
「ＱＦＤデータ」は、品質機能展開作業により得られた品質機能展開表（ＱＦＤ表）に関する全てのデータを含む広い概念である。
「関係付けの度合い」は、関係付けの度合いを示す何らかの指標を意味しており、数値だけでなく、程度を表現する単語やマーク等の数値に関連付け可能な各種の指標を含む広い概念である。
【手続補正３】
【補正対象書類名】明細書
【補正対象項目名】００１６
【補正方法】変更
【補正の内容】
【００１６】
ここで、登録ステップは、過去の品質機能展開作業により得られた既存の品質機能展開表を読込み、読込んだ品質機能展開表の前記要求品質と前記品質特性の対応関係に基づき、関係付けられている品質特性と要求品質との組み合わせを抽出して品質特性データを作成し、データベースに登録するステップである。また、編集ステップは、ユーザの編集指示に応じて、前記データベース中のデータを編集するステップである。
【手続補正４】
【補正対象書類名】明細書
【補正対象項目名】００１７
【補正方法】変更
【補正の内容】
【００１７】
さらに、検索ステップは、品質機能展開作業時に、ユーザの検索指示に応じて、少なくとも前記要求品質の一覧、キーワード、を含む複数種類の文字列の中から選択された文字列を検索キーとして用いて前記データベースに登録されている品質特性データ中の品質特性を検索するステップであり、出力ステップは、前記検索の結果として得られた品質特性一覧を検索結果データとして出力するステップである。
【手続補正５】
【補正対象書類名】明細書
【補正対象項目名】００２０
【補正方法】変更
【補正の内容】
【００２０】
請求項２の発明は、請求項１の品質機能展開支援方法において、登録ステップが、品質特性データ作成ステップを含むことを特徴としている。ここで、品質特性データ作成ステップは、前記品質機能展開表の要求品質と品質特性の対応関係に基づき、関係付けられている品質特性と要求品質の組み合わせを抽出し、抽出された各組み合わせに対して、品質特性の改善方向、関係付けの度合い、を入力して品質特性データを作成するステップである。
【手続補正６】
【補正対象書類名】明細書
【補正対象項目名】００２５
【補正方法】変更
【補正の内容】
【００２５】
請求項５の発明は、請求項１乃至請求項４のいずれかの品質機能展開支援方法において、編集ステップが、品質要素入力ステップを含み、検索ステップが品質要素の一覧を検索キーとして用いることを特徴としている。ここで、品質要素入力ステップは、ユーザの入力指示に応じて、前記データベース中の各品質特性データに対して品質特性を評価する尺度となる品質要素を入力するステップである。また、検索ステップは、ユーザの検索指示に応じて、前記品質要素の一覧、前記要求品質の一覧、キーワード、を含む複数種類の文字列の中から選択された文字列を検索キーとして用いて前記データベースに登録されている品質特性データ中の品質特性を検索する。
【手続補正７】
【補正対象書類名】明細書
【補正対象項目名】００２７
【補正方法】変更
【補正の内容】
【００２７】
請求項６の発明は、請求項５の品質機能展開支援方法において、データベースが、前記品質特性データを登録する品質特性データベースと、前記品質要素の階層構成を含む品質要素データを登録する品質要素データベース、を含むことを特徴としている。
【手続補正８】
【補正対象書類名】明細書
【補正対象項目名】００３０
【補正方法】変更
【補正の内容】
【００３０】
請求項８の発明は、請求項５乃至請求項７のいずれかの品質機能展開支援方法において、データベース中に、前記品質要素の情報が予め用意され、検索ステップが、キー検索ステップと、検索項目作成ステップを含むことを特徴としている。ここで、キー検索ステップは、前記品質要素の一覧、前記要求品質の一覧、キーワード、の中から選択された検索キーを用いて前記データベースに登録されている品質特性データ中の品質特性を検索するステップである。また、検索項目作成ステップは、前記キー検索ステップの前に、前記データベース中に予め用意された品質要素の情報に基づき、品質要素の検索項目を作成してその一覧を前記品質要素の一覧としてユーザに提示するステップである。
【手続補正９】
【補正対象書類名】明細書
【補正対象項目名】００３５
【補正方法】変更
【補正の内容】
【００３５】
請求項１１の発明は、請求項１０の品質機能展開支援方法において、データベースが、前記使用頻度の条件を有する頻度条件付きデータベースを含み、前記使用頻度に基づいて前記品質特性データを前記頻度条件付きデータベースに登録する品質特性データ更新ステップを含むことを特徴としている。
【手続補正１０】
【補正対象書類名】明細書
【補正対象項目名】００３６
【補正方法】変更
【補正の内容】
【００３６】
請求項１２の発明は、請求項１０または請求項１１の品質機能展開支援方法において、検索ステップが、指定されたレベルの前記使用頻度を検索手段として前記データベースに登録されている品質特性データ中の品質特性を検索する使用頻度検索ステップ、を含むことを特徴としている。